(57)【特許請求の範囲】
【請求項１】
所定のターゲットデバイス色空間上の座標値で定義されるターゲット画像データに基づく画像を出力するターゲットデバイスの、該ターゲット色空間上の座標値とデバイス非依存の測色色空間上の座標値との対応を表わすターゲットプロファイルと、所定のプルーファ色空間上の座標値で定義されるプルーフ画像データに基づく画像を出力するプルーファの、該プルーファ色空間上の座標値とデバイス非依存の測色色空間上の座標値との対応を表わすプルーファプロファイルとの結合からなる色変換定義に基づいて、前記ターゲットデバイス色空間上の座標値で定義されるターゲット画像データを前記プルーファ色空間上の座標値で定義されるプルーフ画像データに変換して、前記プルーファを用いて該プルーフ画像データに基づくプルーフ画像を出力するときの、該色変換定義を補正する色変換定義補正方法において、
前記ターゲットプロファイルは、前記ターゲットデバイスを用いて、前記ターゲットデバイス色空間上の座標値で定義された、複数のカラーパッチが配列されたカラーチャートを表わす第１のチャートデータに基づいてカラーチャートを出力する第１チャート出力過程と、該第１チャート出力過程で得られたカラーチャートを構成する複数のカラーパッチを測色することにより測色色空間上の座標値で定義された第１測色データを得る第１チャート測色過程とを経て作成されたものであって、
前記ターゲットデバイス色空間上の、前記第１のチャートデータにより表わされるカラーチャートを構成する複数のカラーパッチの各座標値とは異なる座標値で定義されたカラーパッチを少なくとも一部に含む複数のカラーパッチが配置されたカラーチャートを表わす既存の第２のチャートデータに対し、カラーパッチを定義する任意の座標値を追加してパッチ追加チャートデータを作成するパッチ追加過程と、
前記パッチ追加過程で作成されたパッチ追加チャートデータに基づいてカラーチャートが前記ターゲットデバイスによって出力されるときのそのカラーチャートを構成する複数のカラーパッチを測色色空間上の座標値で定義した第２測色データを得る第２測色データ取得過程と、
前記ターゲットデバイス色空間上の座標値で定義された前記パッチ追加チャートデータを、前記色変換定義を用いて、前記プルーファ色空間上の座標値で定義された第３のチャートデータに変換して、該第３のチャートデータに基づいて前記プルーファにカラーチャートを出力させる第３チャート出力過程と、
前記第３チャート出力過程で出力されたカラーチャートを構成する複数のカラーパッチが測色されてなる、測色色空間上の座標値で定義された第３測色データを取得する第３測色データ取得過程と、
前記第２測色データ取得過程で得られた第２測色データと、前記第３測色データ取得過程で得られた第３測色データとに基づいて、前記色変換定義を補正する定義補正過程とを有することを特徴とする色変換定義補正方法。
【請求項２】
前記第２測色データ取得過程および前記第３チャート出力過程は、前記パッチ追加チャートデータとして、前記第１のチャートデータにより表わされるカラーチャートを構成するカラーパッチの数よりも少ない数のカラーパッチが配列されたカラーチャートを表わすパッチ追加チャートデータが採用された過程であることを特徴とする請求項１記載の色変換定義補正方法。
【請求項３】
前記第２測色データ取得過程および前記第３チャート出力過程は、前記パッチ追加チャートデータとして、そのパッチ追加チャートデータをプルーファ用の第３のチャートデータに変換したときにその第３のチャートデータにより表わされるカラーチャートを構成する複数のカラーパッチがいずれもプルーファで再現される色再現領域内のカラーパッチとなるようなパッチ追加チャートデータが採用された過程であることを特徴とする請求項１記載の色変換定義補正方法。
【請求項４】
前記定義補正過程は、前記第２測色データと前記第３測色データとの差分を表わす差分測色データを求め、該差分測色データに基づいて前記色変換定義を補正する過程であることを特徴とする請求項１記載の色変換定義補正方法。
【請求項５】
前記定義補正過程は、更に、
前記色変換定義を、相対的に広い範囲について補正する第１補正過程と、
前記第１の定義補正過程で補正された色変換定義を、前記第２測色データのうち前記パッチ追加過程で追加された座標値が表すカラーパッチに対応したデータ部分に基づいて、相対的に狭い範囲について補正する第２補正過程とを有する過程であることを特徴とする請求項１記載の色変換定義補正方法。
【請求項６】
前記定義補正過程は、前記色変換定義を構成する前記ターゲットプロファイルと前記プルーファプロファイルとのうちの前記ターゲットプロファイルを補正する過程であること特徴とする請求項１記載の色変換定義補正方法。
【発明の詳細な説明】
【０００１】
【発明の属する技術分野】
本発明は、画像データに基づく画像を出力するターゲットデバイスのプロファイルと、画像データに基づく画像を出力するプルーファのプロファイルとの結合からなる色変換定義を用いターゲットデバイス用の画像データをプルーファ用の画像データに変換してその変換後の画像データに基づくプルーフ画像を出力するときの、その色変換定義を補正する色変換定義補正方法に関する。
【０００２】
【従来の技術】
従来より、印刷機を用いたカラー画像の印刷を行なうにあたっては、印刷を行なう前に、カラープリンタ等を用いて、その印刷機で印刷される画像の色と極力同じ色に似せたプルーフ画像を作成することが行なわれている。プリンタでプルーフ画像を作成するにあたっては、印刷を行なおうとしている印刷機に対応した、画像データと実際の印刷物の色との関係を記述した色再現特性（印刷プロファイル）と、プリンタに対応した、画像データと実際にプリント出力される画像の色との関係を記述した色再現特性（プリンタプロファイル）とを知り、これらの印刷プロファイルとプリンタプロファイルとの結合からなる色変換定義を作成し、この色変換定義に基づいて印刷用の画像データをプリンタ用の画像データに変換し、この変換されたプリンタ用の画像データに基づいてプルーフ画像を作成する。こうすることにより、実際の印刷物と色の一致したプルーフ画像を作成することができる。
【０００３】
上記のようにして色を一致させた画像を得るためには、印刷機やプリンタ等の出力デバイスの色再現特性（プロファイル）を正確に求める必要がある。この色再現特性（プロファイル）を求めるに当たっては、カラーパッチが配列されたカラーチャートに相当する画像データを作成し、その画像データに基づいて出力デバイスでカラーチャートを出力し、そのカラーチャートを分光測色計などで測色し、そのようにして得た測色色空間の座標と、その画像データが表現される色空間（デバイス色空間）の座標とを対応づけることにより、その出力デバイスのプロファイルが求められる。
【０００４】
【発明が解決しようとする課題】
ところが、そのようにして印刷機やプリンタ等の出力デバイスの色再現特性（プロファイル）を慎重に求め、それらの色再現特性（プロファイル）の結合からなる色変換定義に基づいて画像データを変換しても、さまざまな誤差や変動要因により、印刷物とプルーフ画像との間の色が微妙に食い違うという現象が生じる。
【０００５】
このように微妙に食い違っている色を正しく一致させる為にそれらのプロファイルや色変換定義のどこをどのように修正すればよいか不明な場合もあり、どこをどのように修正すればよいかわかっていたとしてもそれを手作業で修正していくのは極めて大変である。
【０００６】
本発明は、上記事情に鑑み、印刷機等のターゲットデバイスで出力される画像を表わす画像データをプルーファ用の画像データに変換してプリンタ等のプルーファでプルーフ画像を出力するときの上記色変換定義を容易にかつ正確に補正することのできる色変換定義補正方法を提供することを目的とする。
【０００７】
【課題を解決するための手段】
上記目的を達成する本発明の色変換定義補正方法は、所定のターゲットデバイス色空間上の座標値で定義されるターゲット画像データに基づく画像を出力するターゲットデバイスの、そのターゲット色空間上の座標値とデバイス非依存の測色色空間上の座標値との対応を表わすターゲットプロファイルと、所定のプルーファ色空間上の座標値で定義されるプルーフ画像データに基づく画像を出力するプルーファの、そのプルーファ色空間上の座標値とデバイス非依存の測色色空間上の座標値との対応を表わすプルーファプロファイルとの結合からなる色変換定義に基づいて、上記ターゲットデバイス色空間上の座標値で定義されるターゲット画像データを上記プルーファ色空間上の座標値で定義されるプルーフ画像データに変換して、上記プルーファを用いてそのプルーフ画像データに基づくプルーフ画像を出力するときの、その色変換定義を補正する色変換定義補正方法において、
上記ターゲットプロファイルは、上記ターゲットデバイスを用いて、上記ターゲットデバイス色空間上の座標値で定義された、複数のカラーパッチが配列されたカラーチャートを表わす第１のチャートデータに基づいてカラーチャートを出力する第１チャート出力過程と、その第１チャート出力過程で得られたカラーチャートを構成する複数のカラーパッチを測色することにより測色色空間上の座標値で定義された第１測色データを得る第１チャート測色過程とを経て作成されたものであって、
上記ターゲットデバイス色空間上の、上記第１のチャートデータにより表わされるカラーチャートを構成する複数のカラーパッチの各座標値とは異なる座標値で定義されたカラーパッチを少なくとも一部に含む複数のカラーパッチが配置されたカラーチャートを表わす所定の第２のチャートデータに対し、カラーパッチを定義する任意の座標値を追加してパッチ追加チャートデータを作成するパッチ追加過程と、
上記パッチ追加過程で作成されたパッチ追加チャートデータに基づいてカラーチャートが上記ターゲットデバイスによって出力されるときのそのカラーチャートを構成する複数のカラーパッチを測色色空間上の座標値で定義した第２測色データを得る第２測色データ取得過程と、
上記ターゲットデバイス色空間上の座標値で定義されたパッチ追加チャートデータを、上記色変換定義を用いて、プルーファ色空間上の座標値で定義された第３のチャートデータに変換して、その第３のチャートデータに基づいて上記プルーファにカラーチャートを出力させる第３チャート出力過程と、
上記第３チャート出力過程で出力されたカラーチャートを構成する複数のカラーパッチが測色されてなる、測色色空間上の座標値で定義された第３測色データを取得する第３測色データ取得過程と、
上記第２測色データ取得過程で得られた第２測色データと、上記第３測色データ取得過程で得られた第３測色データとに基づいて、上記色変換定義を補正する定義補正過程とを有することを特徴とする。
【０００８】
印刷物とプルーフ画像との間の色が微妙に食い違うという現象が生じる場合には、しばしば、食い違いが特に気になる色が存在する。
【０００９】
本発明の色再現特性補正方法によれば、パッチ追加過程で、そのような特に気になる色に相当するパッチをカラーチャートに追加することにより、色変換定義を容易かつ正確に補正することができる。
【００１０】
ここで、上記本発明の色再現特性補正方法において、上記第２測色データ取得過程および上記第３チャート出力過程は、上記パッチ追加チャートデータとして、上記第１のチャートデータにより表わされるカラーチャートを構成するカラーパッチの数よりも少ない数のカラーパッチが配列されたカラーチャートを表わすパッチ追加チャートデータが採用された過程であることが好ましい。
【００１１】
補正を行なうにあたっては、プロファイルを最初に作成するときほどの多数のカラーパッチを用いる必要はなく、それよりも少ない数のカラーパッチで十分であり、また、カラーパッチの数を減らすことにより補正を短時間に効率良く行なうことができる。
【００１２】
また、上記本発明の色再現特性補正方法において、上記第２測色データ取得過程および上記第３チャート出力過程は、上記パッチ追加チャートデータとして、そのパッチ追加チャートデータをプルーファ用の第３のチャートデータに変換したときにその第３のチャートデータにより表わされるカラーチャートを構成する複数のカラーパッチがいずれもプルーファで再現される色再現領域内のカラーパッチとなるようなパッチ追加チャートデータが採用された過程であることが好ましい。
【００１３】
上記パッチ追加チャートデータが変換された第３のチャートデータに、プルーファの色再現特性から外れるパッチのデータが含まれている場合には、そのまま無理矢理に補正してしまうと正しく補正されずにかえって歪んでしまうおそれがある。これに対し、第３のチャートデータがプルーファの色再現特性内のものである場合、そのようなおそれがなく、正しい補正が行なわれることになる。
【００１４】
また、上記本発明の色再現特性補正方法において、上記定義補正過程は、上記第２測色データと上記第３測色データとの差分を表わす差分測色データを求め、その差分測色データに基づいて上記色変換定義を補正する過程であってもよい。
【００１５】
第２測色データと第３測色データとの差異をなくすことが補正の目的であり、上記差分測定データを求めその差分測定データに基づいて色変換定義を補正することにより正確な補正が行われる。
【００１６】
また、上記本発明の色再現特性補正方法において、上記定義補正過程は、更に、
上記色変換定義を、相対的に広い範囲について補正する第１補正過程と、
上記第１の定義補正過程で補正された色変換定義を更に、上記第２測色データのうち上記パッチ追加過程で追加された座標値が表すカラーパッチに対応したデータ部分に基づいて、相対的に狭い範囲について補正する第２補正過程とを有する過程であることが好ましい。
【００１７】
第１補正過程で色変換定義を全体的に補正した上で、第２補正過程において、補正を所望している色の近傍について更に補正を行うことにより正確な補正が行われる。
【００１８】
さらに、上記本発明の色再現特性補正方法において、上記定義補正過程は、色変換定義を構成するターゲットプロファイルとプルーファプロファイルとのうちのターゲットプロファイルを補正する過程であることが好ましい。
【００１９】
第２測色データと第３測色データが一致しない場合のその原因は、ターゲットプロファイルにあるのかプルーファプロファイルにあるのかは不明であるが、プルーファプロファイルの方を補正してしまうと、そのプルーファを用いて、他のターゲットデバイスのプルーフ画像を出力しようとしたときに色がずれてしまう結果となる。これに対し、ターゲットプロファイルの方を補正することにより、このプルーファを複数のターゲットデバイスのプルーファとして共用することができる。
【００２０】
【発明の実施の形態】
以下、本発明の実施形態について説明する。
【００２１】
図１は、本発明の一実施形態が適用される印刷およびプルーフ画像作成システムの全体構成図である。
【００２２】
カラースキャナ１０では、原稿画像１１が読み取られて、その読み取った原稿画像１１をあらわすＣＭＹＫ４色の色分解画像データが生成される。このＣＭＹＫの画像データはワークステーション２０に入力される。ワークステーション２０では、オペレータにより、入力された画像データに基づく、電子的な集版が行なわれ、印刷用の画像をあらわす画像データが生成される。この印刷用の画像データは、印刷を行なう場合は、フィルムプリンタ３０に入力され、フィルムプリンタ３０では、その入力された画像データに対応した、ＣＭＹＫ各版の印刷用フィルム原版が作成される。
【００２３】
この印刷用フィルム原版からは刷版が作成され、その作成された刷版が印刷機４０に装着される。この印刷機４０に装着された刷版にはインクが塗布され、その塗布されたインクが印刷用の用紙上に転移されてその用紙上に印刷画像４１が形成される。
【００２４】
このフィルムプリンタ３０によりフィルム原版を作成し、さらに刷版を作成して印刷機４０に装着し、その刷版にインクを塗布して用紙上に印刷を行なう一連の作業は、大がかりな作業であり、コストもかかる。このため、実際の印刷作業を行なう前に、プリンタ６０により、以下のようにしてプルーフ画像６１を作成し、印刷画像４１の仕上りの事前確認が行なわれる。
【００２５】
プルーフ画像を作成するにあたっては、ワークステーション２０上の電子集版により作成された画像データがパーソナルコンピュータ８０に入力される。ここで、このパーソナルコンピュータ８０に入力される画像データは、いわゆるＰＤＬ（Ｐａｇｅ  Ｄｅｓｃｒｉｐｔｉｏｎ  Ｌａｎｇｕａｇｅ）で記述された記述言語データであり、パーソナルコンピュータ８０では、いわゆるＲＩＰ（Ｒａｓｔｅｒ  Ｉｍａｇｅ  Ｐｒｏｃｅｓｓｏｒ）により、ビットマップに展開されたＣＭＹＫ４色の画像データに変換される。このＣＭＹＫ４色の画像データは、実質的には、フィルムプリンタ３０に入力される印刷用の画像データと同一である。
【００２６】
このＣＭＹＫ４色の印刷用の画像データは、このパーソナルコンピュータ８０の内部で、ＬＵＴ（Ｌｏｏｋ  Ｕｐ  Ｔａｂｌｅ）の形式を持つ色変換定義が参照され、プリンタ６０に適合したＣＭＹＫ４色の画像データに変換される。プリンタ６０には、そのプリンタ用のＣＭＹＫ４色の画像データが入力され、プリンタ６０では、その入力されたプリンタ用のＣＭＹＫ４色の画像データに基づくプルーフ画像６１が作成される。
【００２７】
ここで、印刷機４０による印刷で得られた画像４１とプリンタ６０で得られたプルーフ画像の色の一致の程度は、パーソナルコンピュータ８０内の色変換定義により定まる。
【００２８】
また、この図１には印刷機は１台のみ示されているが印刷機は複数台存在していてもよく、あるいは１台の印刷機であっても異なる複数の印刷条件が存在してもよく、色変換定義は、印刷機の相異を含めた複数の印刷条件それぞれに応じて作成される。この図１に示す分光測色計７０およびパーソナルコンピュータ８０はその色変換定義の作成に関連するものである。
【００２９】
このようにしてプルーフ画像を作成してそのプルーフ画像を確認することにより、印刷の仕上りを事前に確認することができる。
【００３０】
ここで、この図１に示す印刷およびプルーフ画像作成システムにおける、本発明の一実施形態としての特徴は、パーソナルコンピュータ８０の内部で実行される処理内容に関連があり、以下、先ず、このパーソナルコンピュータ８０について説明する。
【００３１】
図２は、図１にブロックで示す分光測色計７０およびパーソナルコンピュータ８０の外観斜視図、図３は、そのパーソナルコンピュータ８０のハードウェア構成図である。また、図４はカラーチャートの模式図である。
【００３２】
この図２に示す分光測色計７０には、図４に示すような、複数のカラーパッチが配列されたカラーチャート９０が乗せられ、そのカラーチャート９０を構成する複数のカラーパッチ９１ａ，９１ｂ，…のそれぞれについて測色値（ここではＸＹＺ値とする）が測定される。この分光測色計７０での測定により得られた各カラーパッチの測色値を表わす測色データは、ケーブル９２を経由してパーソナルコンピュータ８０に入力される。
【００３３】
このカラーチャート９０は、図１に１つのブロックで示す印刷機４０での印刷により、あるいはプリンタ６０でのプリント出力により作成されたものであり、パーソナルコンピュータ８０は、このカラーチャート９０を構成する各カラーパッチに対応する色データ（デバイス色空間上の座標；ＣＭＹＫの各値）を知っており、このパーソナルコンピュータ８０では、そのカラーチャート９０の各カラーパッチの色データと分光測色計７０で得られた測色データとに基づいて、印刷プロファイルやプリンタプロファイルが作成される。この点に関する詳細説明は後に譲り、ここでは、次に、パーソナルコンピュータ８０のハードウェア構成について説明する。
【００３４】
このパーソナルコンピュータ８０は、外観構成上、本体装置８１、その本体装置８１からの指示に応じて表示画面８２ａ上に画像を表示する画像表示装置８２、本体装置８１に、キー操作に応じた各種の情報を入力するキーボード８３、および、表示画面８２ａ上の任意の位置を指定することにより、その位置に表示された、例えばアイコン等に応じた指示を入力するマウス８４を備えている。この本体装置８１は、外観上、フロッピィ（登録商標）ディスクを装填するためのフロッピィ（登録商標）ディスク装填口８１ａ、およびＣＤ−ＲＯＭを装填するためのＣＤ−ＲＯＭ装填口８１ｂを有する。
【００３５】
本体装置８１の内部には、図３に示すように、各種プログラムを実行するＣＰＵ８１１、ハードディスク装置８１３に格納されたプログラムが読み出されＣＰＵ８１１での実行のために展開される主メモリ８１２、各種プログラムやデータ等が保存されたハードディスク装置８１３、フロッピィ（登録商標）ディスク１００が装填されその装填されたフロッピィ（登録商標）ディスク１００をアクセスするＦＤドライブ８１４、ＣＤ−ＲＯＭ１１０が装填され、その装填されたＣＤ−ＲＯＭ１１０をアクセスするＣＤ−ＲＯＭドライブ８１５、分光測色計７０（図１，図２参照）と接続され、分光測色計７０から測色データを受け取るＩ／Ｏインタフェース８１６が内蔵されており、これらの各種要素と、さらに図２にも示す画像表示装置８２、キーボード８３、マウス８４は、バス８５を介して相互に接続されている。
【００３６】
ここで、ＣＤ−ＲＯＭ１１０には、このパーソナルコンピュータ８０でプロファイルを作成するためのプロファイル作成プログラムが記憶されており、そのＣＤ−ＲＯＭ１１０はＣＤ−ＲＯＭドライブ８１５に装填され、そのＣＤ−ＲＯＭ１１０に記憶されたプロファイル作成プログラムがこのパーソナルコンピュータ８０にアップロードされてハードディスク装置８１３に記憶される。
【００３７】
次に、このパーソナルコンピュータ８０におけるプロファイルの作成方法について説明する。
【００３８】
ここでは、先ず印刷プロファイルの作成方法について説明する。
【００３９】
図１に示すワークステーション２０で、例えば０％，１０％，……，１００％と順次変化させたＣＭＹＫ４色の網％データを生成し、前述の印刷手順に従って、そのようにして生成した網％データに基づくカラーチャート９０（図４参照）を作成する。図１に示す画像４１は、カラーチャートを表わしている画像ではないが、この画像４１に代えて図４に示すカラーチャート９０を印刷したものとし、そのカラーチャートを構成する各カラーパッチ９０ａ，９０ｂ，…を分光測色計７０で測色する。こうすることにより、ＣＭＹＫ４色の色空間上の座標値と測色色空間上の座標値との対応関係をあらわす印刷プロファイルが構築される。
【００４０】
図５は、印刷プロファイルの概念図である。
【００４１】
この印刷プロファイルには、ＣＭＹＫ（本発明にいうターゲットデバイス色空間の一例）で定義された画像データが入力され、そのＣＭＹＫの画像データがＸＹＺ（本発明にいう測色色空間の一例）で定義された画像データに変換される。
【００４２】
次に、プリンタプロファイルの作成方法について説明する。
【００４３】
尚、ここでは、プリンタプロファイルはそのプリンタのメーカで既に作成されプリンタとともに納品されているものとし、したがってここでは、プリンタプロファイルをあらためて作成する必要はないが、以下では、そのプリンタプロファイルを新たに作成するとした場合の基本的な作成方法について説明する。
【００４４】
このプリンタプロファイルの作成方法は、カラーチャートを出力する出力デバイスが印刷機ではなくプリンタであるという点を除き、印刷プロファイルの作成方法と同様である。すなわち、ここでは、図１に示すパーソナルコンピュータ８０で、各色について例えば０％，１０％，…，１００％と順次変化させた、ＣＭＹＫ４色の網％データを生成し、そのように生成した網％データをプリンタ６０に送り、プリンタ６０でその網％データに基づくカラーチャートをプリント出力する。なお、網％データは、１０％刻み以外の他の間隔刻みに順次変化するものであってもよい。但し、以下では説明の便宜上、１０％刻みの網％データが用いられるものとする。
【００４５】
図１に示す画像６１は、カラーチャートをあらわしている画像ではないが、プリンタ６０では、この画像６１に代えて、例えば、印刷プロファイルの作成のために印刷機４０での印刷により作成したカラーチャートと同一タイプのカラーチャートを出力したものとし、そのカラーチャートを構成する各カラーパッチを分光測色計７０で測色する。こうすることにより、プリンタ６０についての、ＣＭＹＫ４色の色空間（本発明にいうプルーファ色空間の一例）上の座標値と測色色空間（ＸＹＺ空間）上の座標値との対応関係をあらわすプリンタプロファイルが構築される。
【００４６】
図６は、プリンタプロファイルの概念図である。
【００４７】
このプリンタプロファイルには、ＣＭＹＫの網％データが入力され、そのＣＭＹＫの網％データがＸＹＺの測色データに変換される。ここでは、この、ＣＭＹＫの網％データをＸＹＺの測色データに変換するプリンタプロファイルをＰであらわし、その逆変換、すなわちＸＹＺの測色データをＣＭＹＫの網％データに変換するプリンタプロファイルをＰ-1であらわす。
【００４８】
尚、ここではプリンタ６０はＣＭＹＫの網％データに基づいて画像を出力するプリンタであるとして説明しているが、例えばＲＧＢのデータに基づく画像を出力するプリンタに関しても、パーソナルコンピュータ８０でＲＧＢ空間で定義されたデータを発生させて、カラーチャートを出力することにより、同様にしてそのプリンタに適合したプリンタプロファイルを作成することができる。
【００４９】
ただしここでは、ＣＭＹＫの網％データに基づいて画像を出力するプリンタ６０を使用するものとして説明する。
【００５０】
図７は、印刷プロファイルとプリンタプロファイルを結合させた結合プロファイルを示す図である。
【００５１】
印刷用のＣＭＹＫの網％データを印刷プロファイルＴによりＸＹＺの測色データに変換し、次いでそのＸＹＺの測色データをプリンタプロファイルＰ-1により再び、ただし今度はプリンタ用の、ＣＭＹＫの網％データに変換する。このようにして生成したプリンタ用のＣＭＹＫの網％データに基づいて、プリンタ６０により、印刷と同じ色のプルーフ画像を出力することができる。この印刷プロファイルＴとプリンタプロファイルＰ-1との結合からなる結合プロファイルは、印刷用のＣＭＹＫ色空間で定義された画像データをプリンタ用のＣＭＹＫ色空間で定義された画像データに変換する色変換定義である。
【００５２】
図１に示す印刷およびプルーフ画像作成システムを構成するパーソナルコンピュータ８０でこのような色変換定義を作成して、ワークステーション２０から入力されたＰＤＬで記述された画像データがＣＭＹＫの画像データに変換された後、そのＣＭＹＫの画像データを、その色変換定義を用いてプリンタ用のＣＭＹＫの画像データに変換し、プリンタ６０により、そのプリンタ用のＣＭＹＫの画像データに基づく画像をプリント出力することにより、印刷の画像に対するプルーフ画像が作成される。
【００５３】
上記のようにして色変換定義を作成し、その色変換定義を用いて、ワークステーションから入力された印刷用の画像データをプリンタ用の画像データに変換してそのプリンタ用の画像データに基づいてプルーフ画像を作成しても、そのプルーフ画像の色が、その印刷用の画像データに基づいて印刷物を作成したときの印刷物上の画像の色と完全には一致せず、誤差を持っている場合がある。その原因の１つとして、プリンタプロファイルは、そのプリンタのメーカ側で、基本的には上記のような手順に従って既に作成済である旨説明したが、メーカ側で作成されたプリンタプロファイルは、納品されたプリンタ自体のものではなく、メーカ側で定めたプリンタの原機を使用して作成されたものであり、そのプリンタ原機と納品されたプリンタとの間にある程度の機差が存在することを挙げることができる。
【００５４】
ただし、プルーフ画像の色の不一致の原因は、それのみではなく、印刷プロファイルの作成の過程における様々な誤差要因やその他の様々な要因の集合にあると考えられる。
【００５５】
そこで、次に、プルーフ画像の色の一致の度合が不満足のものであって色を更に高精度に一致させようとした場合の、色変換定義の補正方法について説明する。
【００５６】
図２に示すＣＤ−ＲＯＭ１１０には、上述したパーソナルコンピュータ８０で色変換定義を補正するための色変換定義補正プログラムも記憶されており、その色変換定義補正プログラムはパーソナルコンピュータ８０にアップロードされてハードディスク装置８１３に記憶される。そして、この色変換定義補正プログラムが起動されて実行されることによりパーソナルコンピュータ８０は、後述する方法で色変換定義を補正する色変換定義補正装置として動作する。
【００５７】
図８は、色変換定義補正方法の一実施形態を示すフローチャート、図９は、この補正の際に採用されるカラーチャートの一例を示す図、図１０は、この補正の際に追加されるカラーパッチの色を指定するＧＵＩを示す図である。図９のカラーチャートを先ず説明する。
【００５８】
図９に示すカラーチャート９０’は、図４に示す、印刷プロファイルの作成の際に用いられたカラーチャート９０と同様に、ＣＭＹＫ色空間上の例えば１０％刻みの網％の組合せ（格子点）の網％データに基づいて作成されるものであるが、ＣＭＹＫ色空間上の１０％刻みの格子点のうち、図４に示す、印刷プロファイルの作成の際に用いられたカラーチャート９０で使われた網％の組合せ（格子点）とは異なる、網％の組合せ（格子点）の網％データに基づいて作成されるものである。また、肌色、空色、あるいはグレーなどの重要色は、ＣＭＹＫ色空間内における、１０％刻みの格子点の中から選択された測定点の密度が高くなるようにしたカラーチャートデータを採用することが好ましい。ここでは、このような、図９に示すカラーチャート９０’を作成するためのデータを補正用チャートデータと称する。
【００５９】
このように、印刷プロファイルを最初に作成したときの網％格子点とは異なる点の網％のカラーチャート９０’を用いることによって、印刷プロファイルを最初に作成したときと合わせ、ＣＭＹＫ色空間上のより多くの点に対応するカラーパッチに基づいてプロファイルを作成したのと同等の効果を期待でき、より高精度なプロファイルを構築することができる。
【００６０】
また、この補正用チャートデータに基づいて作成されるカラーチャート９０’は、印刷プロファイルを作成したときのカラーチャート９０（図４）と比べ、カラーチャートを構成するカラーパッチの数が少ない。カラーチャート９０’は、一旦作成されたプロファイルの補正に用いるものであるため、印刷プロファイルを最初に作成するときほどカラーパッチの数は多い必要はなく、カラーパッチの数を減らすことによりその補正の作業量や補正のための演算量を減らすことができる。
【００６１】
さらに、そのカラーチャート９０’を表わす、印刷用の補正用チャートデータを、補正の対象としている色変換定義を用いてプリンタ用の補正用チャートデータに変換したとき、そのプリンタ用の補正用チャートデータは、ここで用いているプリンタ６０（図１参照）の色再現域内のデータで構成される。
【００６２】
このプリンタ用の補正用チャートデータにプリンタ６０の色再現域外のデータが含まれると、その色再現域内外の境界の処理が大変であり、ややもすると補正を行なうどころかかえって誤差を生む結果となるおそれがあるが、上記のような、プリンタ６０の色再現域内の補正チャートデータを採用するという制限を置くことにより、高精度の補正を少ない演算量で実現することができる。
【００６３】
図８のフローチャートについて説明する。
【００６４】
先ず、上述したカラーチャート９０’、色の食い違いが気になる色のパッチを追加する（ステップＳ１）。ここでは、図２に示すパーソナルコンピュータ８０の画像表示装置８２上に、図１０に示すＧＵＩ（Ｇｒａｐｈｉｃａｌ  ＵｓｅｒＩｎｔｅｒｆａｃｅ）のウインドウ１２０が開き、そのウインドウ１２０に、色の食い違いを生じた画像１３０が表示される。その画像１３０上の、色ずれが気になる位置にマウスポインタ１３５を置くと、その位置における印刷用の網％値１４０がウインドウ１２０の表示欄に表示される。そして、その位置がクリックされることにより、その網％値１４０が上記補正用チャートデータに追加される。
【００６５】
但し、印刷用の網％値１４０が印刷プロファイルによってプリンタ用の網％値に変換されたときのそのプリンタ用の網％値がプリンタの色再現領域を外れた網％値となる場合には、その印刷用の網％値１４０は、上記補正用チャートデータへの追加が禁止される。
【００６６】
このような手順が任意回数繰り返されることにより、図９に示す一連のパッチ９１”ａ，９１”ｂ，…がカラーチャート９０´に追加されることとなる。
【００６７】
なお、本発明では、このようなＧＵＩによる網％値の指定に替えて、キーボードなどによる網％値の登録が行われてもよい。
【００６８】
図１１は、キーボードなどによる網％値の登録が行われる登録画面を示す図である。
【００６９】
この登録画面１５０には、Ｃ、Ｍ、Ｙ、Ｋそれぞれの網％値が入力される入力欄１５１Ｃ，１５１Ｍ，１５１Ｙ，１５１Ｋが設けられており、これらの入力欄１５１Ｃ，１５１Ｍ，１５１Ｙ，１５１Ｋにはキーボードなどの操作によって網％値が入力される。
【００７０】
また、登録画面１５０には登録ボタン１５２とキャンセルボタン１５３が設けられており、この登録ボタン１５２およびキャンセルボタン１５３のそれぞれがクリックされると、入力欄１５１Ｃ，１５１Ｍ，１５１Ｙ，１５１Ｋに入力されている網％値が、登録されあるいは取り消される。
【００７１】
登録された網％値１５４ａは、上記補正用チャートデータに追加されるとともに網％値一覧表示欄１５４に表示される。また、表示された網％値１５４ａのうちの任意の網％値１５４ａが選択された状態で削除ボタン１５５がクリックされると、その選択されている網％値１５４ａが補正用チャートデータから削除されるとともに網％値一覧表示欄１５４から消去される。
【００７２】
このような登録画面１５０により一連の網％値１５４ａが登録される場合にも、図９に示す一連のパッチ９１”ａ，９１”ｂ，…がカラーチャート９０´に追加されることとなる。
【００７３】
次に、このように網％値が追加された印刷用の補正用チャートデータにより指定されたカラーチャート９０’（図９参照）を印刷機４０で刷ってそのカラーチャート９０´が印刷された印刷物を作成し（ステップＳ２）、図２を参照して説明したように、そのカラーチャート９０’を構成する複数のカラーパッチ９１’ａ，９１’ｂ，…，９１”ａ，９１”ｂ，…それぞれについてＸＹＺ値（Ｘ１，Ｙ１，Ｚ１）を測定する（ステップＳ４）。この測定結果は、パーソナルコンピュータ８０に取り込まれる。
【００７４】
また、印刷用の補正用チャートデータを、補正の対象としている色変換定義に基づいてプリンタ用の補正用チャートデータに変換し、プリンタ６０を用いて、そのプリント用の補正用チャートデータにより指定された、カラーチャートを出力し（ステップＳ３）、印刷機４０で得られたカラーチャートと同様にして各カラーパッチのＸＹＺ値（Ｘ２，Ｙ２，Ｚ２）を測定する（ステップＳ５）。このＸＹＺ値（Ｘ２，Ｙ２，Ｚ２）も、パーソナルコンピュータ８０に取り込まれる。
【００７５】
パーソナルコンピュータ８０内に、印刷機で得られたカラーチャートとプリンタで得られたカラーチャートに関するＸＹＺの測定データ（Ｘ１，Ｙ１，Ｚ１），（Ｘ２，Ｙ２，Ｚ２）が取り込まれると、パーソナルコンピュータ８０では、以下の演算処理が行なわれる。
【００７６】
先ず、双方の測定データの差分が求められ、これにより、それらの間の色差が求められる（ステップＳ６）。
【００７７】
ｄＸ＝Ｘ２−Ｘ１
ｄＹ＝Ｙ２−Ｙ１
ｄＺ＝Ｚ２−Ｚ１              ……（１）
ここで、（Ｘ１，Ｙ１，Ｚ１），（Ｘ２，Ｙ２，Ｚ２）は各カラーチャートの各カラーパッチの測色データを代表的に示したものであり、上記（１）式の演算は、印刷機で得られたカラーチャートとプリンタで得られたカラーチャートとの間での対応するカラーパッチのペアごとに行なわれる。
【００７８】
次に（１）式の演算結果に基づく補間計算により、印刷用のＣＭＹＫ色空間の、網％が０％，１０％，２０％，…，１００％の各格子点に相当する、測色色空間内の各点の色差ｄＸ，ｄＹ，ｄＺが求められる（ステップＳ７）。この補間計算では、図９に示すカラーチャート９０’に追加されたカラーパッチ（追加パッチ）９１”ａ，９１”ｂ，…を除く他のカラーパッチ９１’ａ，９１’ｂ，…に対応する色差が用いられる。カラーチャート９０’に追加されたカラーパッチ（追加パッチ）９１”ａ，９１”ｂ，…は、１０％刻みの格子点上には存在しないことが多く、補間計算には不向きだからである。
【００７９】
次に、前述したようにして、既に作成済の印刷プロファイルが参照される。この印刷プロファイルには、ＣＭＹＫ色空間上の、ＣＭＹＫ各色についての網％が０％，１０％，２０％，…，１００％の各格子点の座標値（ＣＭＹＫ値）とＸＹ色空間の座標値（ＸＹＺ値）との対応関係が示されており、ここではＣＭＹＫ色空間の各格子点について、ステップＳ７で求めた各格子点に対応する色差（ｄＸ，ｄＹ，ｄＺ）が加味される（ステップＳ８）。
【００８０】
Ｘ＝Ｘ０−ｄＸ
Ｙ＝Ｙ０−ｄＹ
Ｚ＝Ｚ０−ｄＺ              ……（２）
ここで、（Ｘ０，Ｙ０，Ｚ０）は補正前の印刷プロファイルの、ＣＭＹＫ色空間の各格子点に対応する、ＸＹＺ色空間の各座標値を代表的に表わしたものである。
【００８１】
各格子点に関し、上記（２）の演算を行なうことにより、印刷プロファイルの全体が修正される。
【００８２】
次に、上述した追加パッチに対応する網％値の周辺の網％値について、その追加パッチに対応する測色データに基づいた局所的な修正が印刷プロファイルに施される（ステップＳ９）。即ち、追加パッチ近傍の所定範囲内に存在する格子点について、上記（２）による修正値が、その追加パッチにおける色差（ｄＸ’，ｄＹ’，ｄＺ’）と重みＷとに基づいた修正値に置き換えられる。
【００８３】
Ｘ＝Ｘ０＋Ｗ（Δ）×ｄＸ’
Ｙ＝Ｙ０＋Ｗ（Δ）×ｄＹ’
Ｚ＝Ｚ０＋Ｗ（Δ）×ｄＺ’              ……（３）
ここで、Ｗ（Δ）は、修正対象の格子点と、追加パッチに対応するＣＭＹＫ色空間の点との距離Δに対する減少関数として定義された重みである。
【００８４】
なお、１つの格子点が、複数の追加パッチそれぞれに起因する各修正の影響を重複して受ける場合には、最も大きい重みを有する修正が施されるものとする。また、重みＷ（Δ）は、色度値区間上の距離Δに対する減少関数として定義されたものであってもよく、あるいは、他の定義で表されたものであってもよい。
【００８５】
各追加パッチに関して上記（３）の修正が施されることにより、修正印刷プロファイルが作成される。
【００８６】
この補正方法によれば、作業を機械的に進めることによって高精度な補正を行なうことができる。
【００８７】
修正前の印刷プロファイルに代わり、このようにして作成された修正印刷プロファイルを採用し、この修正印刷プロファイルと、この補正を行なうときに既に使用されたプリンタプロファイルとを組み合わせた色変換定義を採用してカラーマッチングを行なうことにより、補正前よりも一層高精度に色が一致したプルーフ画像を得ることができる。
【００８８】
尚、ここでは、プリンタプロファイルと印刷プロファイルとのうちの印刷プロファイルのみを修正したが、その理由は、プリンタプロファイルの方を修正すると、この修正には印刷機側の誤差要因に関する修正分も含まれているため、同じプリンタを別の印刷機（あるいは同じ印刷機の別の印刷条件）のプルーファとしても用いようとしたときに、その別の印刷機（あるいは同じ印刷機の別の印刷条件）の印刷プロファイルと修正されたプリンタプロファイルを結合したとき、その結合プロファイルに、プリンタプロファイルを以前修正したとき用いた印刷機の誤差の分までが含まれてしまう結果となり適当でないからである。ただし、そのプリンタをある１台の印刷機のある１つの印刷条件のみに関するプルーファとして用いるときは、印刷プロファイルの修正に代えてプリンタプロファイルの方を修正してもよい。
【００８９】
あるいは、本発明では、印刷プロファイルとプリンタプロファイルのいずれも修正せずに、（２）式に示す演算に対応する補正用の変換定義、すなわち、ＸＹＺ色空間内で、（Ｘ０，Ｙ０，Ｚ０）を（Ｘ＝Ｘ０＋ｄＸ，Ｙ＝Ｙ０＋ｄＹ，Ｚ＝Ｚ０＋ｄＺ）に変換する補正用変換定義を作成し、カラーマッチングを行なうにあたっては、印刷プロファイルとその補正用変換定義とプリンタプロファイルとの三者を合体させた色変換定義を採用するようにしてもよい。
【００９０】
上記の何れの態様も、本発明にいう「色変換定義を補正する」態様に含まれる。
【００９１】
また、上記実施形態では、補正用チャートデータに基づいて、印刷機とプルーファの双方でカラーチャートが出力されて測色されるが、本発明では、印刷機によって出力されるカラーチャートに対応する測色データを、修正前の印刷プロファイルに従って計算して得てもよい。
【００９２】
【発明の効果】
以上、説明したように、本発明によれば、プルーフ画像の色再現特性を容易かつ高精度に補正することができる。
【図面の簡単な説明】
【図１】本発明の一実施形態が適用された印刷およびプルーフ画像作成システムの全体構成図である。
【図２】図１にブロックで示す分光測色計およびパーソナルコンピュータの外観斜視図である。
【図３】パーソナルコンピュータのハードウェア構成図である。
【図４】カラーチャートの模式図である。
【図５】印刷プロファイルの概念図である。
【図６】プリンタプロファイルの概念図である。
【図７】印刷プロファイルとプリンタプロファイルを結合させた結合プロファイルを示す図である。
【図８】色再現特性補正方法の一実施形態を示すフローチャートである。
【図９】補正の際に採用されるカラーチャートの一例を示す図である。
【図１０】補正の際に追加されるカラーパッチの色を指定するＧＵＩを示す図である。
【図１１】キーボードなどによる網％値の登録が行われる登録画面を示す図である。
【符号の説明】
１０    カラースキャナ
２０    ワークステーション
３０    フィルムプリンタ
４０    印刷機
５０    パーソナルコンピュータ
６０    プリンタ
７０    分光測色計
８０    パーソナルコンピュータ
９０，９０’     カラーチャート
９１ａ，９１ｂ，…    カラーパッチ
９１’ａ，９１’ｂ，…    カラーパッチ
９１”ａ，９１”ｂ，…    カラーパッチ
１００    フロッピィ（登録商標）ディスク
１１０    ＣＤ−ＲＯＭ
１２０    ＧＵＩのウインドウ
１３０    画像
１３５    マウスポインタ
１４０    網％値
１５０    登録画面
【図１】
0003784673.tif 000002
【図２】
0003784673.tif 000003
【図３】
0003784673.tif 000004
【図４】
0003784673.tif 000005
【図５】
0003784673.tif 000006
【図６】
0003784673.tif 000007
【図７】
0003784673.tif 000008
【図８】
0003784673.tif 000009
【図９】
0003784673.tif 000010
【図１０】
0003784673.tif 000011
【図１１】
0003784673.tif 000012